(57)【要約】      （修正有）【課題】回復動作を行うときに無駄な液体消費量を低減することができる液体を吐出する装置を提供する。【解決手段】液体カートリッジ５０とヘッド４との間の供給チューブ５６で構成される流路内の液体に圧力を与える可逆型送液ポンプと、ヘッド４の回復動作を制御する手段を備え、回復動作を行うとき、送液ポンプを正転駆動して流路内を加圧してヘッド４側に送液し、ヘッド４のノズルから液体を溢れさせ、液体がヘッド４から垂れ落ちる前に、送液ポンプを逆転駆動して流路内を減圧させて、負圧を生じさせ、溢れた液体をヘッド４のノズル内に戻した後、ヘッド４から溢れた量に相当する量の液体をノズルから排出させる空吐出を行う。【選択図】図１
2016210048.tif 000002
【特許請求の範囲】
【請求項１】
液体を吐出するノズルを有する液体吐出ヘッドと、
前記液体を貯留する液体貯留手段と、
前記液体貯留手段と前記液体吐出ヘッドとの間の流路内に圧力を与える圧力発生手段と、
前記液体吐出ヘッドの回復動作を制御する手段と、を備え、
前記制御する手段は、前記回復動作を行うとき、
前記圧力発生手段で前記流路内の圧力を上げて、前記液体吐出ヘッドの前記ノズルから前記液体を溢れさせ、
前記液体が前記液体吐出ヘッドから垂れ落ちる前に、前記圧力発生手段で前記流路内の圧力を下げて、前記溢れた前記液体を前記液体吐出ヘッドのノズル内に戻した後、
前記液体吐出ヘッドから前記溢れた量に相当する量の前記液体を前記ノズルから排出させる制御を行う
ことを特徴とする液体を吐出する装置。
【請求項２】
前記回復動作を行うとき、
前記圧力発生手段で前記流路内の圧力を上げて、前記液体吐出ヘッドの前記ノズルから前記液体を溢れさせ、
前記液体が前記液体吐出ヘッドから垂れ落ちる前に、前記圧力発生手段で前記流路内の圧力を下げて、前記溢れた前記液体を前記液体吐出ヘッドのノズル内に戻す動作を、複数回実施する
ことを特徴とする請求項１に記載の液体を吐出する装置。
【請求項３】
前記液体吐出ヘッドの最終吐出動作から前記回復動作の開始までの経過時間によって前記流路内を加圧するときの加圧力又は加圧量を変化させる
ことを特徴とする請求項１に記載の液体を吐出する装置。
【請求項４】
前記液体吐出ヘッドに対するワイピング回数によって前記流路内の圧力を上げるときの加圧力又は加圧量を変化させる
ことを特徴とする請求項１に記載の液体を吐出する装置。
【請求項５】
前記流路内を加圧している期間内で、前記液体吐出ヘッドの吐出圧力を発生させる吐出圧力発生手段を駆動する
ことを特徴とする請求項１に記載の液体を吐出する装置。
【請求項６】
前記液体吐出ヘッドは、複数のノズルが配列されたノズル列を少なくとも２列有し、
前記ノズル列の両側に、ノズル配列方向に沿って、一方のノズル列の液体が他方のノズル列側へ移動することを阻止する液体拡散防止手段が設けられている
ことを特徴とする請求項１ないし５のいずれかに記載の液体を吐出する装置。
【請求項７】
前記液体吐出ヘッドは、複数のノズルが配列されたノズル列を有し、
前記ノズル配列方向に沿って、前記ノズルに対向して所定のギャップを置いて配置される液体誘導部材を有している
ことを特徴とする請求項１ないし５のいずれかに記載の液体を吐出する装置。
【請求項８】
前記圧力発生手段が、可逆型ポンプである
ことを特徴とする請求項１ないし５のいずれかに記載の液体を吐出する装置。
【請求項９】
前記流路は復元可能に変形可能な流路部材で構成され、
前記圧力発生手段は前記流路部材を押し潰し、押し潰しを解除可能な手段であり、
前記圧力発生手段で前記流路部材を押し潰すことで前記流路内が加圧され、前記押し潰しが解除されることで前記流路部材が復元して前記流路内が減圧される
ことを特徴とする請求項１ないし５のいずれかに記載の液体を吐出する装置。
【請求項１０】
前記流路部材の前記圧力発生手段よりも上流側を閉じる手段を備えている
ことを特徴とする請求項９に記載の液体を吐出する装置。
【発明の詳細な説明】
【技術分野】
【０００１】
本発明は液体を吐出する装置に関する。
【背景技術】
【０００２】
液体を吐出する液体吐出ヘッド（液滴吐出ヘッド）を使用する装置においては、液体吐出ヘッドの性能を維持、回復するための維持回復動作を行うようにしている。回復動作の１つとして、ノズル性能の回復のためにノズルから増粘した液体を排出る空吐出（フラッシング、予備吐出などとも称される。）などがある。
【０００３】
従来、放置後の増粘したメニスカス部分の液体を除去するために、フラッシングの前に、微量のインクを吸引排出させた後、フラッシングを行うようにしたもの（特許文献１）が知られている。
【先行技術文献】
【特許文献】
【０００４】
【特許文献１】特開２０００−１１８００４号公報
【発明の概要】
【発明が解決しようとする課題】
【０００５】
しかしながら、上述した特許文献１に開示されているように、空吐出（フラッシング）の前に微量インクの吸引排出を行うと、回復動作における無駄な液体消費が増加するという課題がある。
【０００６】
本発明は上記の課題に鑑みてなされたものであり、無駄な液体消費を低減することを目的とする。
【課題を解決するための手段】
【０００７】
上記の課題を解決するため、本発明に係る液体を吐出する装置は、
液体を吐出するノズルを有する液体吐出ヘッドと、
前記液体を貯留する液体貯留手段と、
前記液体貯留手段と前記液体吐出ヘッドとの間の流路内に圧力を与える圧力発生手段と、
前記液体吐出ヘッドの回復動作を制御する手段と、を備え、
前記制御する手段は、前記回復動作を行うとき、
前記圧力発生手段で前記流路内の圧力を上げて、前記液体吐出ヘッドの前記ノズルから前記液体を溢れさせ、
前記液体が前記液体吐出ヘッドから垂れ落ちる前に、前記圧力発生手段で前記流路内の圧力を下げて、前記溢れた前記液体を前記液体吐出ヘッドのノズル内に戻した後、
前記液体吐出ヘッドから前記溢れた量に相当する量の前記液体を前記ノズルから排出させる制御を行う
構成とした。
【発明の効果】
【０００８】
本発明によれば、無駄な液体消費を低減することができる。
【図面の簡単な説明】
【０００９】
【図１】本発明に係る液体を吐出する装置の一例の要部平面説明図である。
【図２】液体吐出ヘッドの一例のノズル配列方向と直交する方向に沿う要部断面説明図である。
【図３】同じくノズル配列方向に沿う要部断面説明図である。
【図４】図２の要部平面説明図である。
【図５】同画像形成装置の制御部の概要のブロック説明図である。
【図６】本発明の第１実施形態における回復動作の制御の説明に供するフロー図である。
【図７】本発明の第２実施形態における回復動作の制御の説明に供するフロー図である。
【図８】本発明の第３実施形態における回復動作の制御の説明に供するフロー図である。
【図９】本発明の第４実施形態におけるヘッドのノズル面の平面説明図である。
【図１０】図９の正面説明図である。
【図１１】同じく側面説明図である。
【図１２】本発明の第５実施形態におけるヘッドのノズル面の平面説明図である。
【図１３】図１２の正面説明図である。
【図１４】同じく側面説明図である。
【図１５】本発明の第６実施形態の説明に供する正面説明図である。
【図１６】図１５の側面説明図である。
【図１７】本発明の第７実施形態の説明に供する斜視説明図である。
【発明を実施するための形態】
【００１０】
以下、本発明の実施の形態について添付図面を参照して説明する。本発明に係る液体を吐出する装置の一例について図１を参照して説明する。図１は同装置の要部平面説明図である。
【００１１】
この装置は、シリアル型装置であり、左右の側板９１Ａ、９１Ｂ間に架け渡したに主ガイド部材１でキャリッジ３を移動可能に保持している。そして、主走査モータ５によって、駆動プーリ６と従動プーリ７間に架け渡したタイミングベルト８を介してキャリッジ３を主走査方向に往復移動する。
【００１２】
キャリッジ３には、ヘッド４が搭載されている。ヘッド４は、例えば、イエロー（Ｙ）、シアン（Ｃ）、マゼンタ（Ｍ）、ブラック（Ｋ）の各色の液体を吐出する４列のノズル列を有している。
【００１３】
なお、ヘッド４は、液体吐出ヘッド単体で構成し、あるいは、液体吐出ヘッドと液体吐出ヘッドに液体を供給するヘッドタンクとを一体にした吐出ユニットで構成することができる。
【００１４】
ヘッド４には、カートリッジホルダ５１に交換可能に装着される液体貯留手段である液体カートリッジ（メインタンク）５０から所定の液体が供給される。カートリッジホルダ５１とヘッド４との間は供給チューブ５６で流路が形成され、カートリッジホルダ５１に配置された送液ポンプを含む送液ユニット５２によって、液体カートリッジ５０に貯留されている液体が供給される。
【００１５】
一方、用紙１０を搬送するために、用紙を吸着してヘッド４に対向する位置で搬送するための搬送手段である搬送ベルト１２を備えている。この搬送ベルト１２は、無端状ベルトであり、搬送ローラ１３とテンションローラ１４との間に掛け渡されている。
【００１６】
そして、搬送ベルト１２は、副走査モータ１６によってタイミングベルト１７及びタイミングプーリ１８を介して搬送ローラ１３が回転駆動されることによって、副走査方向に周回移動する。なお、この搬送ベルト１２は静電力やエアー吸引で用紙を吸着するが、搬送ベルトに使用しないローラ搬送方式とすることもできる。
【００１７】
さらに、キャリッジ３の主走査方向の一方側には搬送ベルト１２の側方にヘッド４の維持回復を行う維持回復機構２０が配置されている。
【００１８】
維持回復機構２０は、例えばヘッド４のノズル面（ノズルが形成された面）をキャッピングするキャップ２１、ノズル面を払拭するワイパ２２などで構成されている。
【００１９】
このように構成したこの装置においては、用紙１０が搬送ベルト１２上に給紙されて吸着され、搬送ベルト１２の周回移動によって副走査方向に搬送される。
【００２０】
そこで、キャリッジ３を主走査方向に移動させながら画像信号に応じてヘッド４を駆動することにより、停止している用紙１０に液体を吐出して１行分を記録する。そして、用紙１０を所定量搬送後、次の行の記録を行う。記録終了信号又は用紙１０の後端が記録領域に到達した信号を受けることにより、記録動作を終了して、用紙１０を図示しない排紙トレイに排紙する。
【００２１】
次に、ヘッドを構成する液体吐出ヘッドの一例について図２ないし図４を参照して説明する。図２は同ヘッドのノズル配列方向と直交する方向に沿う要部断面説明図、図３は同じくノズル配列方向に沿う要部断面説明図、図４は図２の要部平面説明図である。
【００２２】
この液体吐出ヘッドは、ノズル板１０１と、流路板１０２と、振動板１０３と、圧力発生手段である圧電素子１１１と、保護基板１５０と、共通液室部材を兼ねる図示しないフレーム部材とを備えている。なお、本実施形態では、流路板１０２、振動板１０３及び圧電素子１１１で構成される部分を「アクチュエータ基板１２０」とする。ただし、アクチュエータ基板１２０として独立の部材が形成された後にノズル板１０１や保持基板１５０、フレーム部材と接合されることまで意味するものではない。
【００２３】
ノズル板１０１には、液滴を吐出する複数のノズル１０４が形成されている。ここでは、ノズル１０４を配列したノズル列４ｎを４列配置した構成としている。
【００２４】
流路板１０２は、ノズル板１０１及び振動板１０３とともに、ノズル１０４が通じる個別液室１０６、個別液室１０６に通じる流体抵抗部１０７、流体抵抗部１０７が通じる液導入部（通路）１０８を形成している。これらの個別液室１０６、流体抵抗部１０７及び液導入部１０８を併せて個別流路１０５とする。なお、個別液室は圧力室、液室、圧力発生室などとも称される。
【００２５】
この液導入部１０８は振動板１０３に形成されたフィルタ部１０９を通じて保護基板１５０及び図示しないフレーム部材で形成される共通液室１１０に通じている。
【００２６】
振動板１０３は、個別液室１０６の壁面の一部をなす変形可能な振動領域１３０を形成している。そして、この振動板１０３の振動領域１３０の個別液室１０６と反対側の面には、振動領域１３０と一体的に圧電素子１１１が設けられ、振動領域１３０と圧電素子１１１によって吐出圧力発生手段である圧電アクチュエータを構成している。
【００２７】
圧電素子１１１は、振動板１０３側から下部電極１１３、圧電層（圧電膜）１１２及び上部電極１１４を順次積層形成して構成している。この圧電素子１１１上には絶縁膜１２１が形成されている。
【００２８】
圧電素子１１１の下部電極１１３は共通配線１１５を介して引き出されてバイパス配線１１７に接続されている。上部電極１１４は個別配線１１６を介して引き出されて接続パッド１１８に接続され、後述するヘッドドライバ（ドライバＩＣ）５０９に接続される。
【００２９】
そして、アクチュエータ基板１２０上には、パッシベーション層１２２を介して圧電素子１１１を収容する凹部（振動室）１５１及び配線用空間１５２を形成する保護基板１５０を設けている。
【００３０】
保護基板１５０は、上述したように共通液室の一部も形成している。この保護基板１５０は、接着剤によってアクチュエータ基板１２０の振動板１０３側に接合されている。
【００３１】
このように構成したこの液体吐出ヘッドにおいては、圧電素子１１１の上部電極１１４と下部電極１１３の間に電圧を与えることで、圧電層１１２が電極積層方向、すなわち電界方向に伸張し、振動領域１３０と平行な方向に収縮する。
【００３２】
このとき、下部電極１１３側は振動領域１３０で拘束されているため、振動領域１３０の下部電極１１３側に引っ張り応力が発生し、振動領域１３０が個別液室１０６側に撓み、内部の液体を加圧することで、ノズル１０４から液滴が吐出される。
【００３３】
次に、この装置の制御部の概要について図５を参照して説明する。図５は同制御部のブロック説明図である。
【００３４】
この制御部５００は、装置全体の制御を司るＣＰＵ５０１と、ＣＰＵ５０１が実行するプログラムを含む各種プログラムなどの固定データを格納するＲＯＭ５０２と、画像データ等を一時格納するＲＡＭ５０３とを含む主制御部５００Ａを備えている。
【００３５】
また、制御部５００は、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００３６】
また、制御部５００は、液体吐出ヘッド４を駆動制御するためのデータ転送手段、駆動信号発生手段を含む印刷制御部５０８と、キャリッジ３側に設けた液体吐出ヘッド４を駆動するためのヘッドドライバ（ドライバＩＣ）５０９とを備えている。
【００３７】
また、制御部５００は、キャリッジ３を移動走査する主走査モータ５、搬送ベルト１２を周回移動させる副走査モータ１６、維持回復機構２０の吸引キャップ２１やワイパ部材２３の移動及び吸引ポンプの駆動などを行なう維持回復モータ５５６を駆動するためのモータ駆動部５１０を備えている。
【００３８】
また、制御部５００は、搬送ベルト１２を帯電させる帯電ローラ１５にＡＣバイアスを供給するＡＣバイアス供給部５１１と、送液ユニット５２を構成している送液ポンプ５７を駆動する供給系駆動部５１２などを備えている。
【００３９】
なお、送液ポンプ５７としては、液体カートリッジ５０からヘッド４側への送液及びヘッド４側から液体カートリッジ５０への逆送が可能なチューブポンプなどの可逆型ポンプを使用している。送液ポンプ５７は、液体貯留手段である液体カートリッジ５０とヘッド４との間の流路を構成する供給チューブ５６内の液体に圧力を与える圧力発生手段を兼ねている。
【００４０】
また、この制御部５００には、この装置に必要な情報の入力及び表示を行うための操作パネル５１４が接続されている。
【００４１】
また、制御部５００は、ホスト６００側とのプリンタドライバ６０１などとデータ、信号の送受を行うためのＩ／Ｆ５０６を持っていて、パーソナルコンピュータ等の情報処理装置、画像読み取り装置、撮像装置などのホスト６００側から、ケーブル或いはネットワークを介してＩ／Ｆ５０６で受信する。
【００４２】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。
【００４３】
印刷制御部５０８は、上述した画像データをシリアルデータで転送するとともに、この画像データの転送及び転送の確定などに必要な転送クロックやラッチ信号、制御信号などをヘッドドライバ５０９に出力する。
【００４４】
この印刷制御部５０８は、ＲＯＭ５０２に格納されている駆動パルスのパターンデータをＤ／Ａ変換するＤ／Ａ変換器及び電圧増幅器、電流増幅器等で構成される駆動信号生成部を含む。そして、１の駆動パルス或いは複数の駆動パルスで構成される駆動波形を生成してヘッドドライバ５０９に対して出力する。
【００４５】
ヘッドドライバ５０９は、シリアルに入力されるヘッド４の１行分に相当するデータに基づいて印刷制御部５０８から与えられる駆動波形を構成する駆動パルスを選択してヘッド４の吐出圧力発生手段に対して与えて液滴を吐出させる。このとき、駆動波形を構成するパルスの一部又は全部或いはパルスを形成する波形用要素の全部又は一部を選択することによって、例えば、大滴、中滴、小滴など、大きさの異なるドットを打ち分けることができる。
【００４６】
Ｉ／Ｏ部５１３は、装置の周囲環境（環境温度及び環境湿度）を検出する環境センサ５１６、その他装置に装着されている各種のセンサ群５１５からの情報を取得し、この装置の制御に必要な情報を抽出し、各種の制御に使用する。
【００４７】
主制御部５００Ａは、ヘッド４の回復動作を制御する手段を兼ねており、回復動作を行うとき、送液ポンプ５７によって流路（供給チューブ５６）内の圧力を上げて、ヘッド４のノズル１０４から液体を溢れさせ、液体がヘッド４から垂れ落ちる前に、送液ポンプ５７で逆送して流路内の圧力を下げて、流路内を負圧にすることで、溢れた液体をノズル１０４内に戻した後、ヘッド４から溢れた量に相当する量の液体をノズル１０４から排出させる制御を行う。この制御は、ＲＯＭ５０２に格納したプログラムに従ってＣＰＵ５０１が実行する。
【００４８】
次に、本発明の第１実施形態における回復動作の制御について図６のフロー図を参照して説明する。
【００４９】
前述したように、送液ポンプ５７として、液体カートリッジ５０側からヘッド４側へ液体を送る送液と、ヘッド４側から液体カートリッジ５０側へ液体を送る送液（逆送）とが可能な可逆型ポンプであるチュービングポンプを用いている。
【００５０】
この送液ポンプ５７によって液体カートリッジ５０側からヘッド４側へ液体を送る送液を行うことで、供給チューブ５６で構成される液体カートリッジ５０とヘッド４側との間の流路内の圧力を上げることができる（加圧できる）。また、この送液ポンプ５７によってヘッド４側から液体カートリッジ５０側へ液体を送る逆送を行うことで、供給チューブ５６で構成される液体カートリッジ５０とヘッド４側との間の流路内の圧力を下げることができる（減圧できる）。
【００５１】
なお、ここでは、圧力発生手段が送液ポンプ５７で構成されているが、別途、液体カートリッジ５０とヘッド４側との間の流路内を加圧及び減圧する手段を設けることもできる。
【００５２】
図６を参照して、放置期間後の回復動作シーケンスを開始すると、ヘッド４を空吐出部に対向させる。ここでは、キャップ２１内に空吐出を行うので、キャップ２１が空吐出部となる。通常、放置状態ではキャリッジ３はキャップ２１でヘッド４がキャッピングされた状態になるので、放置後の回復動作ではそのままキャップ２１に対して空吐出を行うことができる。
【００５３】
なお、空吐出を受けるための空吐出受けを備える場合には、放置状態ではキャリッジ３はキャップ２１でヘッド４がキャッピングされた位置にあるので、キャッピングを解除した後、キャリッジ３を移動させてヘッド４を空吐出受け（空吐出部）に対向させる処理を行う。
【００５４】
そして、送液ポンプ５７を正転駆動して、液体カートリッジ５０側からヘッド４側へ送液することで、流路内の圧力を上げて（加圧して）、ヘッド４のノズル１０４から液体を垂れ落ちない程度に溢れさせる（これを「加圧処理」という。）。
【００５５】
このときの送液ポンプ５７の加圧による送液量は微量であることが好ましく、例えば０．００１〜０．０１０ｃｃの範囲で設定することが好ましい。この範囲で送液量を設定することにより、ノズル１０４から加圧された液体が溢れ出し、垂れ落ちない。より好ましくは、０．００５ｃｃである。
【００５６】
この加圧処理により、ノズル１０４から溢れた液体はダイナミックな流動状態を持つため、放置期間中に増粘したメニスカスの液体が撹拌されることになる。
【００５７】
そして、加圧処理が終了した後に、送液ポンプ５７を逆転駆動して、ヘッド４側から液体カートリッジ５０側へ逆送することで、流路内の圧力を下げて（減圧して）、負圧を生じさせることで、溢れた液体を元のメニスカス位置（ノズル内）に戻す（これを「負圧処理」という。）。
【００５８】
その後に、ヘッド４の吐出圧力発生手段を駆動して、液体を吐出させる空吐出動作を行う。この空吐出動作では、前述した加圧処理によって溢れさせた量以上の液体を排出させる。
【００５９】
これにより、ヘッド４の上流側から増粘していない液体が供給され、ノズルの状態が回復される。このとき、液体を排出するのは空吐出のときだけであるので、無駄な液体消費を抑えることができる。
【００６０】
そして、空吐出動作終了後、ヘッド４のノズル面をワイパ２２で払拭してメニスカスを形成し、ヘッド４をホーム位置に移動させる。
【００６１】
次に、本発明の第２実施形態における回復動作の制御について図７のフロー図を参照して説明する。
【００６２】
本実施形態では、ヘッド４を空吐出部に対向する位置にする。
【００６３】
その後、前記第１実施形態で説明したと同様な加圧処理と負圧処理を、ｉ回繰り返し実施した後、空吐出動作を行う。
【００６４】
そして、空吐出動作終了後、ヘッド４のノズル面をワイパ２２で払拭してメニスカスを形成し、ヘッド４をホーム位置に移動させる。
【００６５】
このように、加圧処理と負圧処理を複数回実施することで、全てのノズルについて回復の成功確率を高くすることができる。ただし、回数が多すぎると、無駄な液体消費が増加し、大気への接触時間が長くなることで増粘を招き、ノズルダウンを引き起こすおそれがあるので、２〜３回程度の繰り返しが好ましい。
【００６６】
次に、本発明の第３実施形態における回復動作の制御について図８のフロー図を参照して説明する。
【００６７】
本実施形態では、前記第１実施形態（又は第２実施形態）における加圧処理と並行して、ヘッド４の吐出圧力発生手段（圧電素子１１１）を駆動する。
【００６８】
これにより、メニスカスをノズル１０４の外へ押し出そうとする圧力が大きくなり、ノズル回復の確率を更にあげることができる。
【００６９】
なお、上記各実施形態において、装置が放置されている期間によるノズル部分での液体増粘は、放置された期間によって増粘の程度が変化する。そこで、ヘッド４の最終吐出動作から回復動作を行うまでの経過時間（放置期間）に応じて、流路内を加圧するときの加圧力あるいは加圧量を変化させて、ノズル部分での増粘メニスカスを強く押し出すように加圧力ないし加圧量を設定することが好ましい。
【００７０】
また、ヘッドも使用期間が長いほど特性が劣化することになる。例えば、ワイピング処理の回数（ワイピング回数）によってノズル面の撥液性が損なわれていくことが代表的なものである。このときには、ワイパとヘッドの相対的な傾きから、ノズルごとの撥液性のばらつきが顕著になり始める。撥液性が損なわれると、ノズル内のメニスカスの張り方が弱くなるため、常時ノズルからはみ出すようになり、メニスカスの表面積が大きくなる。そのため、押し出す圧力が分散されてしまい、押し出されにくくなってしまう。そこで、ワイピング回数に応じて、流路内を加圧するときに、液体を徐々に押し出すように加圧力或いは加圧量を設定する（変化させる）ことが好ましい。
【００７１】
これらのことから、前記各実施形態では、送液ポンプとしてチュービングポンプを使用しているので、加圧処理を行うときの加圧量を増加させるように変化させるように構成した。これにより、メニスカスの増粘に合わせた加圧量で加圧でき、適切な処理をすることができる。
【００７２】
次に、本発明の第４実施形態について図９ないし図１１を参照して説明する。図９は同実施形態におけるヘッドのノズル面の平面説明図、図１０は図９の正面説明図、図１１は同じく側面説明図である。
【００７３】
本実施形態では、ヘッド４は、複数のノズル１０４が配列された２列のノズル列１０４Ａ、１０４Ｂを有している。
【００７４】
そして、ヘッド４のノズル面１４０に、各ノズル列１０４Ａ、１０４Ｂのノズル配列方向と直交する方向の両側に、一方のノズル列側の液体が他方のノズル列側へ移動拡散することを阻止するリブ状の凸部からなる液体拡散防止手段１４１を設けている。
【００７５】
これにより、混色を防止できる。
【００７６】
すなわち、加圧処理でノズル１０４から液体を溢れさせたときに、隣接するノズル列の液体と接触すると、負圧処理でノズル１０４内に液体を戻したときに、混色液体がノズル１０４内に戻ることになる。混色が生じると目的とする色が得られなくなるので、混色を生じた部分の液体を確実にその後の空吐出で排出させる必要があり、無駄に消費される液体量が増加することになる。
【００７７】
そこで、隣り合うノズル列間での液体の移動、拡散を防止することで、混色を防止し、これにより、無駄に消費される液体量が増加しないようにしている。
【００７８】
次に、本発明の第５実施形態について図１２ないし図１４を参照して説明する。図１２は同実施形態におけるヘッドのノズル面の平面説明図、図１３は図１２の正面説明図、図１４は同じく側面説明図である。
【００７９】
本実施形態では、ヘッド４のノズル面１４０に、各ノズル列１０４Ａ、１０４Ｂのノズル配列方向と直交する方向の両側に、一方のノズル列側の液体が他方のノズル列側へ移動拡散することを阻止する溝状の凹部からなる液体拡散防止手段１４２を設けている。
【００８０】
これにより、混色を防止できる。
【００８１】
次に、本発明の第６実施形態について図１５及び図１６を参照して説明する。図１５は同実施形態の説明に供する正面説明図、図１６は図１５の側面説明図である。
【００８２】
本実施形態では、ヘッド４のノズル面１４０と所定のギャップを置いて配置可能な液体誘導部材１５１を備えている。液体誘導部材１５１としては例えばワイヤなどを使用できる。
【００８３】
すなわち、ノズル列内の各ノズル１０４の増粘には程度の差があり、加圧しても、液体が溢れないノズル１０４が生じることがある。このとき、液体が溢れたノズル１０４の液体が液体誘導部材１５１に接触することで、液体誘導部材１５１で濡れ広がった液体が、液体が溢れないノズル１０４に部分に外側から接触する。これにより、液体が溢れていないノズル１０４についても相対的に粘度が低い液体が覆うため、増粘成分が拡散される。
【００８４】
これによって、加圧処理によってノズルの回復を行うことが可能になる。
【００８５】
なお、ノズル面と液体誘導部材とのギャップは毛細官力が働く、１ｍｍ以下で設定することが好ましい。
【００８６】
次に、本発明の第７実施形態について図１７を参照して説明する。図１７は同実施形態の説明に供する斜視説明図である。
【００８７】
本実施形態では、流路部材としての供給チューブ５６は復元可能に変化可能な部材で形成され、供給チューブ５６を押し潰し、押し潰しを解除することによって、供給チューブ５６によって構成される流路内を加圧、減圧する圧力発生手段７０１を備えている。
【００８８】
この圧力発生手段７０１は、保持部材７００内に復元可能に変形可能な供給チューブ５６を挟んで配置された支持台７０２と、支持台７０２に対向する加圧板７０３を有している。加圧板７０３は駆動源によって移動して、支持台７０２に対して接近及び離間し、供給チューブ５６を加圧し、加圧を解除可能な構成としている。
【００８９】
これによって、圧力発生手段７０１よりも供給チューブ５６の上流側が閉じた状態にして、駆動源によって加圧板７０３を移動させて供給チューブ５６を押しつぶすことにより、加圧板７０３より下流側の流路内を加圧することができる。
【００９０】
このときの加圧量は、加圧板７０３の面積を変えることで変更可能である。
【００９１】
そして、加圧板７０３を元に戻すことで、供給チューブ５６が復元し、供給チューブ５６が復元するときに流路内が減圧される。
【００９２】
このような圧力発生手段を使用しても前記第１ないし第３実施形態で説明したと同様の作用効果を得ることができる。
【００９３】
本願において、「液体を吐出する装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置、その他液中や気中に対して液体を吐出可能な装置が含まれる。
【００９４】
この「液体を吐出する装置」は、液体が付着可能なものの給送、搬送、排紙に係わる手段、その他、前処理装置、後処理装置なども含むことができる。
【００９５】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００９６】
また、「液体を吐出する装置」は、吐出された液体によって文字、図形等の有意な画像が可視化されるものに限定されるものではない。例えば、それ自体意味を持たないパターン等を形成するものも含まれる。
【００９７】
上記「液体が付着可能もの」とは液体が一時的にでも付着可能なものを意味する。「液体が付着するもの」の材質は、紙、糸、繊維、布帛、皮革、金属、プラスチック、ガラス、木材、セラミックスなど液体が一時的でも付着可能であればよい。
【００９８】
また、「液体」は、インク、処理液、ＤＮＡ試料、レジスト、パターン材料、結着剤、造形液なども含まれる。
【００９９】
また、「液体を吐出する装置」には、特に限定しない限り、液体吐出ヘッドを移動させるシリアル型装置、液体吐出ヘッドを移動させないライン型装置のいずれも含まれる。
【０１００】
また、「液体を吐出する装置」としては他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【０１０１】
また、「液体吐出ヘッド」は、使用する圧力発生手段が限定されるものではない。例えば、上記実施形態で説明したような圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。
【０１０２】
また、本願において、画像形成、記録、印字、印写、印刷等はいずれも同義語とする。
【符号の説明】
【０１０３】
３  キャリッジ
４  ヘッド（液体吐出ヘッド）
１０  用紙
１２  搬送ベルト
２１  キャップ
２２  ワイパ
５７  送液ポンプ（圧力発生手段）
１０４  ノズル
１４１、１４２  液体拡散防止手段
１５１  液体誘導部材
５００  制御部
７０１  圧力発生手段
【図１】
2016210048.tif 000003
【図２】
2016210048.tif 000004
【図３】
2016210048.tif 000005
【図４】
2016210048.tif 000006
【図５】
2016210048.tif 000007
【図６】
2016210048.tif 000008
【図７】
2016210048.tif 000009
【図８】
2016210048.tif 000010
【図９】
2016210048.tif 000011
【図１０】
2016210048.tif 000012
【図１１】
2016210048.tif 000013
【図１２】
2016210048.tif 000014
【図１３】
2016210048.tif 000015
【図１４】
2016210048.tif 000016
【図１５】
2016210048.tif 000017
【図１６】
2016210048.tif 000018
【図１７】
2016210048.tif 000019